(57)【特許請求の範囲】
【請求項１】
縦芯材に面材を取り付けて形成された壁用パネル部材と、建物の構造材に設けられ前記壁用パネル部材を取り付ける取付部材とを含んで構成され、前記縦芯材は所定間隔で配置された複数本で構成され、前記取付部材は、前記縦芯材と直交する連続横部材で構成されるとともに垂直面部を有し、この垂直面部には、前記縦芯材の上端部および下端部にそれぞれ取り付けられた端末部材が垂直面部の外側から当接可能とされていることを特徴とする建物の壁パネル。
【請求項２】
請求項１記載の建物の壁パネルにおいて、前記横部材は前記壁用パネル部材の幅方向に連続しかつその長さ寸法は少なくとも２枚の前記壁用パネル部材分の長さとなっていることを特徴とする建物の壁パネル。
【請求項３】
横芯材に面材を取り付けて形成された壁用パネル部材と、建物の構造材に設けられ前記壁用パネル部材を取り付ける取付部材とを含んで構成され、前記横芯材は所定間隔で配置された複数本で構成され、前記取付部材は、前記横芯材と直交する縦部材で構成されるとともに垂直面部を有し、この垂直面部には、前記上側の横芯材および下側の横芯材の両端部にそれぞれ取り付けられた端末部材が垂直面部の外側から当接可能とされ、前記壁用パネル部材はユニット式建物を構成する標準高さ寸法の建物ユニットに使用される壁用パネル部材よりも高さ寸法が低くなっていることを特徴とする建物の壁パネル。
【請求項４】
縦横いずれか一方の芯材を所定間隔で配置された複数本で構成するとともに、これらの芯材に面材を取り付けて壁用パネル部材を形成し、この壁用パネル部材における縦横いずれか一方の芯材の両端部にそれぞれ取り付けられた端末部材を、建物の構造材に設けられ前記縦横いずれか一方の芯材と直交する取付部材の垂直面部にその外側から当接させて取り付けることを特徴とする建物の壁パネルの取り付け方法。
【請求項５】
請求項４記載の建物の壁パネルの取り付け方法において、前記面材は厚さ方向に重ねられて複数枚あり、前記いずれか一方の芯材に最も近い面材にはこの芯材と対応する位置に切欠部が設けられ、これらの芯材と前記面材とを結合した後、前記切欠部を通した結合具で前記いずれか一方の芯材を前記取付部材に結合し、次いで、前記切欠部が設けられた前記面材の表面にこの切欠部を覆う部分を有する面材を取り付けることを特徴とする建物の壁パネルの取り付け方法。
【発明の詳細な説明】
【０００１】
【産業上の利用分野】
本発明は建物の壁パネルおよびその取り付け方法に係り、例えばユニット工法やパネル工法等の建物に界壁や間仕切り壁を設置する際に利用できる。
【０００２】
【背景技術】
例えばユニット工法の建物に使用され、これらの建物の界壁や間仕切り壁等を構成する壁パネルは、従来、複数本の縦芯材と上下の横芯材とを枠組み状に組み立てた下地フレームと、この下地フレームに取り付けられた石膏ボード等からなる面材とで形成されている。一方、建物の構造材には壁パネルに対応する壁パネル取付用部材が設けられており、この取付用部材に壁パネルの横芯材が釘打ち等で固定され、これによって、壁パネルは建物に取り付けられていた。
【０００３】
【発明が解決しようとする課題】
ところで、壁パネルを建物ユニット等の建物に取り付ける際、作業者は壁パネルを垂直に起こして所定の位置に取り付けている。しかし、従来の壁パネルでは、壁パネルを構成する下地フレームが複数本の縦芯材と上下の横芯材とで枠組み状に組み立てられ、さらにこの下地フレームに面材が取り付けられているので、壁パネル全体の重量が重くなり、このため、壁パネルが取扱いにくくて作業性が悪いものとなっていた。
【０００４】
また、壁パネル自体は所定の剛性を有しておればよく、従って、壁パネルが壁パネル取付用部材に結合されたとき、これらの部材のいずれかを含んで壁パネルの剛性が確保できればよい。しかし、従来の壁パネルは、その上下の横芯材が建物の構造材に設けた壁パネル取付用部材に固定されているので、上下の横芯材と壁パネル取付用部材とで材料が重複しているという問題があった。
【０００５】
さらに、従来の壁パネルでは、下地フレームを作成するには複数本の縦芯材と上下の横芯材とを枠組み状に組み立てなければならず、縦芯材と上下の横芯材との結合等の作業工程が多くなり、このため、壁パネルの製作に時間がかかっていた。
【０００６】
本発明の一つの目的は、全体重量の軽量化が図れ、取扱いやすくなって作業性が向上するとともに、省部材化が可能となる建物の壁パネルおよびその取り付け方法を提供することにある。
【０００７】
また本発明の他の目的は、壁用パネル部材の厚さ方向における正確な位置決めができるようになる建物の壁パネルを提供することにある。
【０００８】
【課題を解決するための手段】
本発明に係る建物の壁パネルは、縦芯材に面材を取り付けて形成された壁用パネル部材と、建物の構造材に設けられ前記壁用パネル部材を取り付ける取付部材とを含んで構成され、前記縦芯材は所定間隔で配置された複数本で構成され、前記取付部材は、前記縦芯材と直交する連続横部材で構成されるとともに垂直面部を有し、この垂直面部には、前記縦芯材の上端部および下端部にそれぞれ取り付けられた端末部材が垂直面部の外側から当接可能とされていることを特徴とするものである。
また、本発明に係る他の建物の壁パネルは、横芯材に面材を取り付けて形成された壁用パネル部材と、建物の構造材に設けられ前記壁用パネル部材を取り付ける取付部材とを含んで構成され、前記横芯材は所定間隔で配置された複数本で構成され、前記取付部材は、前記横芯材と直交する縦部材で構成されるとともに垂直面部を有し、この垂直面部には、前記上側の横芯材および下側の横芯材の両端部にそれぞれ取り付けられた端末部材が垂直面部の外側から当接可能とされ、前記壁用パネル部材はユニット式建物を構成する標準高さ寸法の建物ユニットに使用される壁用パネル部材よりも高さ寸法が低くなっていることを特徴とするものである。
【０００９】
この建物の壁パネルにおいて、横部材は壁用パネル部材の幅方向に連続しかつその長さは少なくとも２枚の前記壁用パネル部材分の長さとなっていてもよい。
【００１０】
本発明に係る建物の壁パネルの取り付け方法は、縦横いずれか一方の芯材を所定間隔で配置された複数本で構成するとともに、これらの芯材に面材を取り付けて壁用パネル部材を形成し、この壁用パネル部材における縦横いずれか一方の芯材の両端部にそれぞれ取り付けられた端末部材を、建物の構造材に設けられ前記縦横いずれか一方の芯材と直交する取付部材の垂直面部にその外側から当接させて取り付けることを特徴とするものである。
【００１１】
この建物の壁パネルの取り付け方法において、面材は厚さ方向に重ねられて複数枚あり、いずれか一方の芯材に最も近い面材にはこの芯材と対応する位置に切欠部が設けられ、これらの芯材と面材とを結合した後、切欠部を通した結合具でいずれか一方の芯材を取付部材に結合し、次いで、切欠部が設けられた面材の表面にこの切欠部を覆う部分を有する面材を取り付けるものであってもよい。
【００１２】
【作用】
このような本発明の建物の壁パネルおよびその取り付け方法では、壁パネルを構成する取付部材は建物の構造材側に設けられ、この取付部材に取り付ける壁用パネル部材が、取付部材と直交する縦横いずれか一方の芯材とこの芯材に取り付けた面材とで形成されているので、従来の壁パネルにおける縦横両方の芯材を壁用パネル部材に設けなくてもよく、これにより、壁用パネル部材の全体重量の軽量化が図れ、取扱いやすくなるので、壁用パネル部材を取り付ける作業性がよくなる。
【００１３】
また、取付部材が水平の横部材とされ、この横部材に壁用パネル部材を取り付けたとき、横部材が従来の壁パネルにおける横芯材と同じような機能を果たすとともに、従来の壁パネル取付用部材をも兼ねることになり、このため、従来のように取付用部材と横芯材との重複がなくなり、この結果、省部材化が可能となる。
【００１４】
この建物の壁パネルにおいて、取付部材が水平の横部材とされ、この横部材が壁用パネル部材の幅方向に連続しているとともに、その長さ寸法が少なくとも２枚の壁用パネル部材分となっている場合には、それぞれの壁用パネル部材における厚さ方向の正確な位置決めができるようになり、この結果、複数枚の壁用パネル部材の表面が連続する平らな壁表面を得られる。
【００１５】
また、建物の壁パネルの取り付け方法において、面材が厚さ方向に重ねられて複数枚あり、いずれか一方の芯材に最も近い面材にはこの芯材と対応する位置に切欠部が設けられ、これらの芯材と面材とを結合した後、切欠部を通した結合具でいずれか一方の芯材を取付部材に結合し、次いで、切欠部が設けられた面材の表面にこの切欠部を覆う部分を有する面材を取り付けるようにした場合には、いずれか一方の芯材を取付部材に結合する際、結合具を切欠部に通せるので、取付部材に対する結合具の結合位置等を容易に確認でき、また、面材の表面から結合具の打ち込み作業等を行わなくてもよいため、いずれか一方の芯材を取付部材に結合する作業が容易となり、また、いずれか一方の芯材に最も近い面材に設けられた切欠部をを別の面材で隠すことができる。
【００１６】
【実施例】
以下に本発明の実施例を図面に基づいて説明する。
図１〜３には第１実施例が示されており、図１に示すように、本実施例に係る建物の壁パネル１はユニット式建物２の界壁３として使用されている。
【００１７】
図１に示すように、ユニット式建物２は、隣接する複数の建物ユニット４，５を備えて構成され、各建物ユニット４，５は、それぞれ四隅に立設された４本の柱６と、これらの柱６の上端間および下端間同士を結合するそれぞれ４本の天井梁７と床梁８とからなる骨組み９を備えている。
このようなユニット式建物２において、前記壁パネル１は建物ユニット４，５の隣合う天井梁７，７および床梁８，８間に設けられ、これによって、前記界壁３が形成されている。
【００１８】
図１に示すように、建物ユニット４，５の隣合う天井梁７，７の内側には、それぞれ所定の幅寸法を有するとともに断面コ字形とされた複数の受部材１０，１０が各天井梁７の長手方向に所定間隔で固着され、これらの受部材１０の側面には断面Ｃ字状のブラケット１１，１１が取り付けられている。これらのブラケット１１，１１も図３に示すように、天井梁７の長手方向に所定間隔で配置されている。さらに、これらのブラケット１１には、各天井梁７の長手方向に沿って連続する軟質耐火材１２，１３が装着されるようになっている。
【００１９】
すなわち、軟質耐火材１２，１３には、図示しないが、各ブラケット１１における上下部のそれぞれの幅方向を挟み込む嵌合長孔と、そこから嵌合長孔に直交するとともに、軟質耐火材１２，１３の外側端部まで達する切れ目が形成されている。従って、この切れ目を開いて嵌合長孔で各ブラケット１１の上下面を挟み込めば、軟質耐火材１２，１３が各ブラケット１１に装着されるようになっており、この軟質耐火材１２，１３は、さらにそれぞれの側面が各天井梁７の長手方向に連続する押え板１４，１４で圧縮され、これにより、軟質耐火材１２，１３は各ブラケット１１に固定される。
【００２０】
建物ユニット５における軟質耐火材１３は受部材１０と天井梁７との下面を覆うとともに、その一端部１３Ａは折り曲げられて隣合う天井梁７との隙間１５内に挿入され、他端部１３Ｂは、建物ユニット５の天井梁７の上方に延び、図示しないが建物ユニット５の上階建物ユニットの耐火部に接続されている。
また、建物ユニット４の天井梁７側に取り付けられる軟質耐火材１２は、その端部１２Ａが前記軟質耐火材１３の折り曲げ部の側面に当接され、他端部１２Ｂは前記他端部１３Ｂと同様に上階建物ユニットの耐火部に接続されている。
なお、各押え部材１４にはそれぞれ天井小梁１６，１６が取り付けられており、これらの天井小梁１６には、壁パネル１，１を設置した後に、天井面材１７，１７が取り付けられるようになっている。
【００２１】
図１に示すように、建物ユニット４，５の下部において、隣合う床梁８，８には、それぞれ断面コ字形の取付部材２０と受部材２１とを介して、軽量気泡コンクリート等からなる耐火床面材２２が設けられている。これらの耐火床面材２２の上面には、根太２３を介して床面材２４が設けられるとともに、断面コ字形の支持部材２５を介して、珪酸カルシウム板（ケイカル板）や石綿セメント板、複数枚重ねられた石膏ボード等からなる硬質の側面耐火材２６，２６が取り付けられている。さらにこれらの側面耐火材２６，２６の上面には、各側面耐火材２６から各床梁８の上面にわたる水平耐火材２７，２７が取り付けられている。
なお、建物ユニット４，５におけるそれぞれの水平耐火材２７，２７のいずれか一方側には、工場で例えば前記軟質耐火材１２等と同様の性質の軟質耐火材２８が取り付けられ、これにより、水平耐火材２７，２７の隙間が塞がれ、この結果、隣合う床梁８，８の上面が連続する耐火構造となっている。
【００２２】
前記壁パネル１は、壁用パネル部材３０と、建物ユニット４，５の構造材である天井梁７および床梁８に設けられ、上記壁用パネル部材３０が取り付けられる取付部材（横部材）である上下のブラケット４０，４１とを含んで形成されている。
【００２３】
図２に示すように、壁用パネル部材３０は、前記上下のブラケット４０，４１と直交しかつ縦芯材である３本のスタッド３１と、これらのスタッド３１の片側面に取り付けられた面材３２とを備え、この面材３２は石膏ボード、石綿セメント板あるいは前記ケイカル板等からなる内側面材３３およびその外側に重ねられた外側面材３４の２枚で構成されている。そして、このような壁用パネル部材３０は、建物ユニット４，５等のモジュールに対応して各種の幅寸法に形成されている。
【００２４】
各スタッド３１としては、例えば木材等の角柱状部材が使用され、これらのスタッド３１の高さ寸法は面材３２の高さ寸法より低く形成されている。また、各スタッド３１の上下部の背面には、断面クランク形状のスタッド端末部材３５が図示しないが釘打ち等により取り付けられている。これらのスタッド端末部材３５は、例えば板金を折り曲げ形成したもの、あるいは板材を溶接加工したものが使用されており、その一端部３５Ａはスタッド３１の背面と、水平部３５Ｂはスタッド３１の上端面、下端面とそれぞれ密着した状態で固着され、他端部３５Ｃはスタッド３１の表面の延長線上の上方側および下方側に延出されている。
【００２５】
図２に示すように、面材３２のうちスタッド３１に最も近い内側面材３３の上下端部には、スタッド３１と対応する位置に、所定の幅を有する３つの切欠部３３Ａがそれぞれ形成されている。従って、切欠部３３Ａにおいてスタッド３１側には、前記スタッド端末部材３５の他端部３５Ｃが位置していることになる。
なお、この内側面材３３とスタッド３１とは図示しないが接着剤や釘によって結合されている。
【００２６】
図１，３に示すように、面材３２のうち、外側面材３４には切欠き部は形成されておらず、従って、この面材３４は内側面材３３の切欠部３３Ａを覆う部分を有していることになり、また、この外側面材３４は、スタッド端末部材３５を介してスタッド３１を前記ブラケット４０，４１に取り付けた後に、前記内側面材３３に接着剤や釘打ち等で取り付けるようになっている。
【００２７】
このような壁用パネル部材３０を取り付ける前記上下のブラケット４０，４１のうち、上ブラケット４０は、例えば鉄鋼製とされ、水平の一辺４０Ａと垂直の他辺４０Ｂとを有し断面Ｌ字型に形成されるとともに、建物ユニット４，５の各天井梁７と平行な連続部材となっており、すなわち図３にも示すように、前記壁用パネル部材３０の幅方向に連続しており、前記一辺４０Ａが釘（図１参照）によって前記各ブラケット１１に固定され、他辺４０Ｂがブラケット１１の底面から下方に突出して取り付けられている。そして、この他辺４０Ｂに前記スタッド端末部材３５の他端部３５Ｃが当接されるようになっている。
ここで、ブラケット１１における押え板１４側の側面から上ブラケット４０の他辺４０Ｂまでの水平寸法は、壁用パネル部材３０の面材３２の厚さ寸法とほぼ同じとなっている。また、上ブラケット４０の長さ寸法は、少なくとも２枚の壁用パネル部材３０の幅寸法分となっている。
【００２８】
また、下ブラケット４１は例えば鉄鋼製とされ、かつ、溝型形状とされるとともに、上ブラケット４０と同様の連続部材となっており、その開口部を上方に向けて前記水平耐火材２７の上面に釘打ち等により取り付けられている。ここで、下ブラケット４１の一側面４１Ａの表面と、上ブラケット４０における他辺４０Ｂの表面とは同一鉛直線上に位置している。そして、この一側面４１Ａに前記スタッド３１における下部のスタッド端末部材３５の他端部３５Ｃが当接されるようになっている。
なお、上下のブラケット４０，４１は、例えば板金を折り曲げ加工したもの、あるいは板部材を溶接等によって組み合わせて加工したものが使用される。
【００２９】
前述のような壁用パネル部材３０を上下のブラケット４０，４１に取り付けるには、まず、各建物ユニット４，５の天井梁７および床梁８側にそれぞれ上下のブラケット４０，４１を取り付けておく。
一方では、スタッド３１にスタッド端末部材３５を取り付けるとともに、スタッド３１と内側面材３３とを結合し、外側面材を有しない前記壁用パネル部材３０を生産する。この際、スタッド３１を内側面材３３の切欠部３３Ａと対応する位置に配置させる。次いで、スタッド３１と内側面材３３とを結合したものを垂直に起こし、上下のスタッド端末部材３５の他端部３５Ｃを上下のブラケット４０，４１に押し当てた後、切欠部３３Ａから釘３７を通し、この釘３７でスタッド端末部材３５と上下のブラケット４０，４１とを結合する。
【００３０】
この後、切欠部３３Ａのある内側面材３３の表面に切欠部を覆う部分を有する外側面材３４を取り付ける。これによって壁用パネル部材３０の取り付けが完了し、この結果、壁パネル１が完成する。これと同じ作業を他の壁パネル１についても行い、これにより、隣接する建物ユニット４，５の隣合う柱６、天井梁７、床梁８間にそれぞれ設けられた壁パネル１によって、ユニット式建物２における界壁３が完成する。
なお、壁用パネル部材３０を上下のブラケット４０，４１へ取り付ける際には、各建物ユニット４，５の天井面材１７は取り付けられておらず、この天井面材１７は、壁用パネル部材３０の取り付け完了後に天井小梁１６に取り付ける。
【００３１】
前述のような本実施例によれば次のような効果がある。
すなわち、▲１▼壁用パネル部材３０を建物ユニット４，５の天井梁７および床梁８に設けた上下のブラケット４０，４１に取り付けて壁パネル１が形成されるようになっており、このような壁用パネル部材３０は、縦芯材であるスタッド３１と面材３２とで形成されているので、従来の壁パネルにおける横芯材を壁用パネル部材３０に取り付けなくてもよくなり、これにより、壁用パネル部材３０の全体重量が軽量化され、パネル部材が取扱いやすくなって取り付け作業性がよくなる。
【００３２】
また、▲２▼壁用パネル部材３０はスタッド３１と面材３２とで形成されているが、壁用パネル部材を横部材である上下のブラケット４０，４１に取り付けたとき、これらのブラケット４０，４１が従来の壁パネルにおける横芯材と同じような機能を果たすとともに、従来の壁パネル取付用の受部材をも兼ねることになり、このため、従来のように受部材と横芯材との重複がなくなり、この結果、省部材化が可能となる。さらに、壁用パネル部材３０はスタッド３１と面材３２とで形成されており、従来のように縦芯材と横芯材とを組み立てる面倒な工程が不要となるので、壁用パネル部材３０の製作が短時間で容易に行える。
【００３３】
さらに、▲３▼上下のブラケット４０，４１は水平方向に連続したものとなっており、その長さ寸法は少なくとも２枚の壁用パネル部材３０の分を有するので、ブラケット４０，４１が定規の役割を発揮することにより、それぞれの壁用パネル部材３０における厚さ方向の正確な位置決めができるようになり、この結果、複数枚の壁用パネル部材３０の表面が連続する平らな壁表面を得られる。
【００３４】
また、▲４▼壁用パネル部材３０を構成する面材３２のうち、スタッド３１に最も近い内側面材３３には切欠部３３Ａが形成され、この切欠部３３Ａを通した釘３７によって、スタッド３１を上下のブラケット４０，４１に取り付けることができるので、スタッド３１を上下のブラケット４０，４１に結合する際、ブラケット４０，４１に対する釘３７の結合位置等を容易に確認できる。また、▲５▼内側面材３３の表面から釘３７を打ち込む必要がないので、スタッド３１を上下のブラケット４０，４１に結合する作業が容易となり、さらに、外側面材３４で内側面材３３の切欠部３３Ａを隠せる。
【００４２】
図４には本発明の第２実施例が示されている。
この実施例では、横芯材７１と面材７２とで形成した壁用パネル部材７０を、建物の構造材側に所定間隔で設けられた取付部材である複数本の縦部材７５に取り付けて壁パネル８０を構成したものである。この壁パネル８０の高さ寸法は、前記第１実施例の壁パネル１の高さ寸法より低く形成されており、従って、この実施例の壁パネル８０は、ユニット式建物を構成する標準高さ寸法の建物ユニットの高さ寸法より低く形成され、例えば収納用として使用可能な建物ユニットに用いられるようになっている。
なお、図４中前記第１実施例と同一部材には同一符号を付すとともに、それらの構造等の説明は省略または簡略化する。また、この実施例の各部材の材質は前記第１実施例と同一材質となっているので、材質についての説明も省略する。
【００４３】
前記横芯材７１は、前記第１実施例のスタッド３１と同一材質となっており、その両端部には前記スタッド端末部材３５が横方向に向いて固着されている。この横芯材７１は、前記縦部材７５の間隔内に挿入可能な寸法となっている。
また、壁用パネル部材７０における面材７２は内側面材７３と外側面材７４との２枚で形成され、内側面材７３の上下四隅には切欠部７３Ａが形成されており、この切欠部７３Ａを通した釘３７によって横芯材７１をスタッド端末部材３５とともに縦部材７５に結合できるようになっている。そして、外側面材７４は横芯材７１等を縦部材７５に結合した後で接着および釘打ち等で取り付けるようになっている。
【００４４】
前記縦部材７５は例えばアングル材で形成されるとともに、壁用パネル部材７０の幅方向と対応する間隔に複数本配置されている。縦部材７５は、高さ寸法の低い建物ユニットの上梁７側に設けられたブラケット１１に上端部が固着され、下端部は高さ方向調整可能なブラケット７６に固定されて立設されている。
このような本実施例でも、前記▲３▼を除いた▲１▼，▲２▼，▲４▼，▲５▼とほぼ同様の効果が得られる。
【００４５】
なお、本発明は前述の各実施例に限定されるものではなく、本発明の目的を達成できる範囲であれば次に示すような変形例を含むものである。
例えば、前記第１実施例では、壁パネル１をユニット式建物２の界壁３として使用したが、これに限らず、本発明の壁パネル１は界壁３だけでなくユニット式建物２の間仕切り壁や内壁として使用してもよく、また、ユニット式建物２の他に、パネル工法の建物の界壁や間仕切り壁、内壁にも利用できる。
【００４６】
また、前記第１実施例において、横部材である上下のブラケット４０，４１は、それぞれの形状が上ブラケット４０では断面Ｌ型、下ブラケット４１では溝型および断面Ｌ型となっていたが、それぞれの形状は任意であり、例えば上ブラケットを溝型、下ブラケットを断面Ｌ型とし、あるいは上下とも同じ形状としてもよい。さらに、上ブラケット４０を断面Ｌ型部材としたが、これに限らず、ブラケット１１の下面に下方に延びる突出部を一体的に形成し、これを上ブラケットとしてもよい。要するに、横部材は天井梁７側に壁用パネル部材３０を取り付けるための部材であればよい。
【００４７】
さらに、前記第２実施例において、取付部材である縦部材７５はアングル材で上下に連続させて形成したが、これに限らず、例えば角柱状の部材でもよい。要するに、壁用パネル部材７０の横芯材７１を取り付けることができ、かつ、壁用パネル部材７０を縦部材７５に取り付けたとき、縦部材７５がパネル部材７０の従来における縦芯材の役割りを果たすものであればよい。
【００４８】
【発明の効果】
以上で説明したように、本発明の建物の壁パネルおよびその取り付け方法によれば、壁パネルを構成する取付部材は建物の構造材側に設けられ、この取付部材に取り付ける壁用パネル部材が、取付部材と直交する縦横いずれか一方の芯材とこの芯材に取り付けた面材とで形成されているので、従来の壁パネルにおける縦横両方の芯材を壁用パネル部材に設けなくてもよくなり、これにより、壁用パネル部材の全体重量の軽量化が図れ、取扱いやすくなるため、壁用パネル部材を取り付ける作業性がよくなる。
また、取付部材が水平の横部材とされ、この横部材に壁用パネル部材を取り付けたとき、横部材が従来の壁パネルにおける横芯材と同じような機能を果たすとともに、従来の壁パネル取付用部材をも兼ねることになり、このため、従来のように取付用部材と横芯材との重複がなくなり、この結果、省部材化が可能となる。
【００４９】
さらに、横部材は壁用パネル部材の幅方向に連続しているとともに、その長さ寸法は少なくとも２枚の壁用パネル部材分となっているので、それぞれの壁用パネル部材における厚さ方向の正確な位置決めができるようになり、この結果、複数枚の壁用パネル部材の表面が連続する平らな壁表面を得られる。
【００５０】
また、面材は厚さ方向に重ねられて複数枚あり、縦横いずれか一方の芯材に最も近い面材にはこの芯材と対応する位置に切欠部が設けられ、これらの芯材と面材とを結合した後、切欠部を通した結合具でいずれか一方の芯材を取付部材に結合し、次いで、切欠部が設けられた面材の表面にこの切欠部を覆う部分を有する面材を取り付けるようにしたので、いずれか一方の芯材を取付部材に結合する際、結合具を切欠部に通すことができ、これにより、取付部材に対する結合具の結合位置等を容易に確認できる。また、面材の表面から結合具の打ち込み作業等を行わなくてもよいため、いずれか一方の芯材を取付部材に結合する作業が容易となり、さらに、いずれか一方の芯材に最も近い面材に設けられた切欠部を別の面材で隠すことができる。
【図面の簡単な説明】
【図１】本発明の第１実施例に係るユニット式建物の一部を示す断面図である。
【図２】第１実施例における壁用パネル部材の構成部材を示す分解斜視図である。
【図３】第１実施例における壁用パネル部材の取り付け前の状態を示す分解斜視図である。
【図４】本発明の第２実施例の要部を示す分解斜視図である。
【符号の説明】
１，８０  壁パネル
２  ユニット式建物
３  界壁
４，５  建物ユニット
７  構造材である天井梁
８  構造材である床梁
３０，７０  壁用パネル部材
３１  縦芯材であるスタッド
３２，７２  面材
３３，７３  縦芯材に最も近い面材である内側面材
３３Ａ，７３Ａ  切欠部
３４，７４  切欠部を覆う部分を有する面材である外側面材
４０  横部材を構成する上ブラケット
４１  横部材を構成する下ブラケット
７１  横芯材
７５  取付部材である縦部材
【図１】
0003575623.tif 000002
【図２】
0003575623.tif 000003
【図３】
0003575623.tif 000004
【図４】
0003575623.tif 000005